(57)【要約】  無線通信システムにおけるビーコンシンボルを用いて情報を送信するための技術が説明される。ある構造において、送信機は、複数のサブキャリア中の多重サブキャリアの位置により運ばれる情報を該多重サブキャリアにマッピングしてもよい。該送信機は、前記情報を少なくとも１つの非バイナリシンボルにマッピングしてもよい。該送信機は、１つの非バイナリシンボルに基づいて前記多重サブキャリアを決定してもよく、又は１つの非バイナリシンボルに基づいて前記多重サブキャリアのすべてを決定してもよい。該送信機は、前記多重サブキャリアにマッピングされた前記情報を持つビーコンシンボルを生成してもよい。該送信機は、低いジオメトリーを持つ受信機が確実に情報を受信できるように、前記多重サブキャリアについては高い送信電力を用いてもよい。多重サブキャリアの使用は、より多くの情報がビーコンシンボルで送信されることを可能にすることができ、周波数ダイバーシチを向上することもできる。
2010539808.tif 000002
【特許請求の範囲】
【請求項１】
無線通信システムにおいて情報を送信する方法であって、
複数のサブキャリア中の多重サブキャリアの位置により運ばれる情報を該多重サブキャリアにマッピングすること、及び
前記多重サブキャリアにマッピングされた前記情報を具備するビーコンシンボルを生成することを具備する方法。
【請求項２】
前記多重サブキャリアに前記情報をマッピングすることは、複数セグメントの各々における１個のサブキャリアに前記情報をマッピングすることを具備し、前記複数セグメントは、非オーバーラップのサブキャリアセットを具備する請求項１の方法。
【請求項３】
前記多重サブキャリアに前記情報をマッピングすることは、
少なくとも１つの非バイナリシンボルに前記情報をマッピングすること、及び
前記少なくとも１つの非バイナリシンボルに基づいて前記多重サブキャリアを決定することを具備する請求項１の方法。
【請求項４】
前記多重サブキャリアに前記情報をマッピングすることは、
前記情報を複数の非バイナリシンボルにマッピングすること、及び
前記複数の非バイナリシンボルのそれぞれに基づいて前記多重サブキャリアの各々を決定することを具備する請求項１の方法。
【請求項５】
前記多重サブキャリアに前記情報をマッピングすることは、
各メッセージにつき１つの非バイナリシンボルセットがマッピングされるように、少なくとも１つのメッセージを少なくとも１つの非バイナリシンボルセットにマッピングすること、及び
前記少なくとも１つの非バイナリシンボルセットからの前記少なくとも１つの非バイナリシンボルに基づいて、前記多重サブキャリアを決定することを具備する請求項１の方法。
【請求項６】
前記ビーコンシンボルを前記生成することは、前記多重サブキャリアにマッピングされた多重変調シンボルを具備する直交周波数分割多重（ＯＦＤＭ）シンボルを生成することを具備し、前記ＯＦＤＭシンボルは、前記ビーコンシンボルとして提供される請求項１の方法。
【請求項７】
前記多重変調シンボルは、前記ビーコンシンボルのピーク対平均電力比（ＰＡＰＲ）を削減するように選択される請求項６の方法。
【請求項８】
前記ビーコンシンボルを前記生成することは、前記多重サブキャリアで送信された多重変調シンボルを具備するシングルキャリア周波数分割多重（ＳＣ−ＦＤＭ）シンボルを生成することを具備し、前記ＳＣ−ＦＤＭシンボルは、前記ビーコンシンボルとして提供される請求項１の方法。
【請求項９】
前記多重サブキャリアに用いられない残りのサブキャリア中の少なくとも１個のサブキャリアに追加情報をマッピングすることをさらに具備し、
前記ビーコンシンボルを前記生成することは、前記少なくとも１個のサブキャリアにマッピングされた追加情報をさらに具備する前記ビーコンシンボルを生成することを具備する請求項１の方法。
【請求項１０】
前記情報は、セル識別子（ＩＤ）又はセクタＩＤを具備する請求項１の方法。
【請求項１１】
複数のサブキャリア中の多重サブキャリアの位置により運ばれる情報を該多重サブキャリアにマッピングし、前記多重サブキャリアにマッピングされた前記情報を具備するビーコンシンボルを生成するように構成される少なくとも１つのプロセッサを具備する無線通信のための装置。
【請求項１２】
前記少なくとも１つのプロセッサは、非オーバーラップのサブキャリアセットを具備する複数セグメントの各々における１個のサブキャリアに前記情報をマッピングするように構成される請求項１１の装置。
【請求項１３】
前記少なくとも１つのプロセッサは、少なくとも１つの非バイナリシンボルに前記情報をマッピングし、前記少なくとも１つの非バイナリシンボルに基づいて前記多重サブキャリアを決定するように構成される請求項１１の装置。
【請求項１４】
前記少なくとも１つのプロセッサは、各メッセージにつき１つの非バイナリシンボルセットがマッピングされるように、少なくとも１つのメッセージを少なくとも１つの非バイナリシンボルセットにマッピングし、前記少なくとも１つの非バイナリシンボルセットからの前記少なくとも１つの非バイナリシンボルに基づいて、前記多重サブキャリアを決定するように構成される請求項１１の装置。
【請求項１５】
複数のサブキャリア中の多重サブキャリアの位置により運ばれる情報を該多重サブキャリアにマッピングするための手段と、
前記多重サブキャリアにマッピングされた前記情報を具備するビーコンシンボルを生成するための手段と、を具備する無線通信のための装置。
【請求項１６】
前記多重サブキャリアに前記情報をマッピングするための前記手段は、非オーバーラップのサブキャリアセットを具備する複数セグメントの各々における１個のサブキャリアに前記情報をマッピングするための手段を具備する請求項１５の装置。
【請求項１７】
前記多重サブキャリアに前記情報をマッピングするための前記手段は、  
少なくとも１つの非バイナリシンボルに前記情報をマッピングするための手段と、
前記少なくとも１つの非バイナリシンボルに基づいて前記多重サブキャリアを決定するための手段とを具備する請求項１５の装置。
【請求項１８】
前記多重サブキャリアに前記情報をマッピングするための前記手段は、
各メッセージにつき１つの非バイナリシンボルセットがマッピングされるように、少なくとも１つのメッセージを少なくとも１つの非バイナリシンボルセットにマッピングするための手段と、
前記少なくとも１つの非バイナリシンボルセットからの前記少なくとも１つの非バイナリシンボルに基づいて、前記多重サブキャリアを決定するための手段とを具備する請求項１５の装置。
【請求項１９】
前記少なくとも１つのコンピュータに、複数のサブキャリア中の多重サブキャリアの位置により運ばれる情報を該多重サブキャリアにマッピングさせるためのコードと、
前記少なくとも１つのコンピュータに、前記多重サブキャリアにマッピングされた前記情報を具備するビーコンシンボルを生成させるためのコードと、を具備するコンピュータ可読媒体を具備するコンピュータプログラム製品。
【請求項２０】
無線通信システムにおいて情報を受信する方法であって、
複数のサブキャリア中の多重サブキャリアにマッピングされた情報を具備するビーコンシンボルを受信すること、及び
前記複数のサブキャリア中の前記多重サブキャリアの位置に基づいて前記情報を回復することを具備する方法。
【請求項２１】
前記多重サブキャリアの各々は、複数セグメントのいずれか異なるものにあって、前記複数セグメントは、非オーバーラップのサブキャリアセットを具備する請求項２０の方法。
【請求項２２】
前記情報を回復することは、
前記多重サブキャリアの前記位置に基づいて少なくとも１つの非バイナリシンボルを決定すること、及び
前記情報を回復するために前記少なくとも１つの非バイナリシンボルを復号すること、を具備する請求項２０の方法。
【請求項２３】
前記情報を回復することは、
前記多重サブキャリアの位置に基づいて、各サブキャリアにつき１つの非バイナリシンボルすることにより複数の非バイナリシンボルを決定すること、及び
前記情報を回復するために前記複数の非バイナリシンボルを復号することを具備する請求項２０の方法。
【請求項２４】
前記情報を回復することは、
前記多重サブキャリアの前記位置に基づいて少なくとも１つの非バイナリシンボルを決定すること、及び
前記少なくとも１つの非バイナリシンボルに基づいて少なくとも１つのメッセージを回復することを具備し、
各メッセージはそれぞれ非バイナリシンボルセットを通じて送信され、前記少なくとも１つの非バイナリシンボルは、非バイナリシンボルの各セットからの１つ又は複数の非バイナリシンボルを具備する請求項２０の方法。
【請求項２５】
前記情報を回復することは、
前記複数のサブキャリアの各々の受信電力をしきい値と比較すること、
比較結果に基づいて前記多重サブキャリアを識別すること、
前記多重サブキャリアの前記位置に基づいて少なくとも１つの非バイナリシンボルを決定すること、及び
前記情報を回復するために前記少なくとも１つの非バイナリシンボルを復号することを具備する請求項２０の方法。
【請求項２６】
前記情報を回復することは、
多重可能メッセージに用いられたサブキャリアの受信電力を合成することによって、該メッセージの各々の合計受信電力を判定すること、及び
前記多重可能メッセージの合計受信電力に基づいて前記情報を決定することを具備する請求項２０の方法。
【請求項２７】
前記ビーコンシンボルは、前記多重サブキャリアに用いられない残りのサブキャリア中の少なくとも１個のサブキャリアにマッピングされた追加情報をさらに具備し、
前記少なくとも１個のサブキャリアの少なくとも１つの受信シンボルに基づいて前記追加情報を回復することをさらに具備する請求項２０の方法。
【請求項２８】
複数のサブキャリア中の多重サブキャリアにマッピングされた情報を具備するビーコンシンボルを受信し、前記複数のサブキャリア中の前記多重サブキャリアの位置に基づいて前記情報を回復するように構成される少なくとも１つのプロセッサを具備する無線通信のための装置。
【請求項２９】
前記少なくとも１つのプロセッサは、前記多重サブキャリアの前記位置に基づいて少なくとも１つの非バイナリシンボルを決定し、前記情報を回復するために前記少なくとも１つの非バイナリシンボルを復号するように構成される請求項２８の装置。
【請求項３０】
前記少なくとも１つのプロセッサは、前記多重サブキャリアの前記位置に基づいて少なくとも１つの非バイナリシンボルを決定し、前記少なくとも１つの非バイナリシンボルに基づいて少なくとも１つのメッセージを回復するように構成され、各メッセージはそれぞれ非バイナリシンボルセットを通じて送信され、前記少なくとも１つの非バイナリシンボルは、非バイナリシンボルの各セットからの１つ又は複数の非バイナリシンボルを具備する請求項２８の装置。
【発明の詳細な説明】
【関連出願】
【０００１】
本願は、参照することにより本明細書に組み込まれ、譲受人に譲渡された２００７年９月１４日提出の「ＭＵＬＴＩ−ＢＥＡＣＯＮ  ＯＦＤＭ  ＳＹＭＢＯＬ」と題する米国仮出願第６０／９７２，５３９号の優先権を主張する。
【技術分野】
【０００２】
本開示は、一般に通信に関し、特に、無線通信システムにおいて情報を送信するための技術に関する。
【背景技術】
【０００３】
無線通信システムは、音声、ビデオ、パケットデータ、メッセージング、放送等のような種々の通信コンテンツを提供するために広く展開している。これらの無線システムは、利用可能システムリソースの共有により複数のユーザのための通信をサポート可能な多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム及びシングルキャリアＦＤＭＡ（ＳＣ−ＦＤＭＡ）システムを含む。
【０００４】
無線通信システムは、いくつかの端末の通信をサポートしうるいくつかの基地局を含んでいてもよい。基地局は、１つ又は複数の端末にトラフィックデータ、制御情報及びパイロットのような種々のタイプの情報を送信してもよい。制御情報はオーバーヘッド情報、シグナリングなどと呼ばれることもある。端末は、基地局に種々の型の情報を送信することができる。送信機は、１つ又は複数の受信機に効率的かつ確実に情報を送信することが望ましい。
【発明の概要】
【０００５】
本明細書では、無線通信システムにおけるビーコンシンボルを用いて情報を送信するための技術が説明される。ある構造において、送信機は、複数のサブキャリア中の多重サブキャリアの位置により運ばれる情報（例えばセル識別子（ＩＤ）、セクタＩＤ及び／又は他の情報）を該多重サブキャリアにマッピングしてもよい。該送信機は、前記多重サブキャリアにマッピングされた前記情報を具備するビーコンシンボルを生成してもよい。前記ビーコンシンボルは、直交周波数分割多重（ＯＦＤＭ）シンボル又はシングルキャリア周波数分割多重（ＳＣ−ＦＤＭ）シンボルでもよい。
【０００６】
ある構造において、前記送信機は、前記情報を少なくとも１つの非バイナリシンボルにマッピングしてもよい。そして該送信機は、前記少なくとも１つの非バイナリシンボルに基づいて前記多重サブキャリアを決定してもよい。ある構造において、システム帯域幅が複数セグメントに区分されてもよい。また、各セグメントにおける１つのサブキャリアが１つの非バイナリシンボルに基づいて選択されてもよい。別の構造において、前記多重サブキャリアは１つの非バイナリシンボルに基づいて選択されてもよい。一般に、ビーコンシンボルは、１つ又は複数のメッセージについて１つ又は複数の非バイナリシンボルを運ぶことができる。
【０００７】
前記送信機は、高い送信電力を多重サブキャリアについて用いてもよい。これは、前記送信機によって送信された情報を、低いジオメトリーを持つ受信機が確実に受信するのを可能にすることができる。多重サブキャリアの使用は、より多くの情報がビーコンシンボルで送信されるのを可能にすることができ、周波数ダイバーシチを向上することもできる。
【０００８】
以下、この開示の種々の態様及び特徴をより詳しく説明する。
【図面の簡単な説明】
【０００９】
【図１】図１は、無線通信システムのブロック図を示す。
【図２】図２は、多重アクティブサブキャリアを持ったビーコンシンボルの２つの構造を示す。
【図３】図３は、多重アクティブサブキャリアを持ったビーコンシンボルの２つの構造を示す。
【図４】図４は、送信電力対追加情報を持たない場合の１つのビーコンシンボルのサブキャリアを示す。
【図５】図５は、送信電力対追加情報を持つ場合の１つのビーコンシンボルのサブキャリアを示す。
【図６】図６は、ビーコンシンボルを用いて情報を送信する処理を示す。
【図７】図７は、ビーコンシンボルを用いて情報を送信するための装置を示す。
【図８】図８は、ビーコンシンボルで送信された情報を受信する処理を示す。
【図９】図９は、ビーコンシンボルで送信された情報を受信するための装置を示す。
【図１０】図１０は、基地局及び端末のブロック図を示す。
【発明を実施するための形態】
【００１０】
本明細書で説明された技術は、ＣＤＭＡ、ＴＤＭＡ、ＦＤＭＡ、ＯＦＤＭＡ、ＳＣ−ＦＤＭＡ及び他のシステムのような種々の無線通信システムに用いられてもよい。「システム」、「ネットワーク」という用語は、しばしば区別なく用いられる。ＣＤＭＡシステムは、ユニバーサル地上無線アクセス（ＵＴＲＡ）、ｃｄｍａ２０００などのような無線技術を実装してもよい。ＵＴＲＡは、広帯域ＣＤＭＡ（ＷＣＤＭＡ）及び他のＣＤＭＡの変種を含んでいる。ｃｄｍａ２０００はＩＳ−２０００、ＩＳ−９５及びＩＳ−８５６標準をカバーする。ＴＤＭＡシステムは、グローバル移動体通信システム（ＧＳＭ）のような無線技術を実装してもよい。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（商標）などのような無線技術を実装してもよい。ＵＴＲＡ及びＥ−ＵＴＲＡは地上波無線アクセスネットワーク（ＵＭＴＳ）の一部である。３ＧＰＰロングタームエボリューション（ＬＴＥ）はＥ−ＵＴＲＡを用いるＵＭＴＳの来るべきリリースであり、アップリンクにＳＣ−ＦＤＭＡを用い、ダウンリンクにＯＦＤＭＡを用いる。ＵＴＲＡ、Ｅ−ＵＴＲＡ、ＵＭＴＳ、ＬＴＥ及びＧＳＭについては「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文献に記載されている。ｃｄｍａ２０００及びＵＭＢについては「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文献に記載されている。
【００１１】
図１は、いくつかの基地局及び他のネットワークエンティティーを含んでもよい無線通信システム１００を示す。単純化のために、図１においては３つの基地局１１０ａ、１１０ｂ、１１０ｃと、１つのシステム・コントローラ１３０のみが示される。基地局は、ＮｏｄｅＢ、エボルブＮｏｄｅＢ（ｅＮＢ）、アクセスポイント、基地トランシーバ局（ＢＴＳ）などと呼ばれ、端末と通信する固定局とすることができる。各基地局１１０は特定の地理的なエリア１０２に通信カバレッジを供給する。システムキャパシティを向上するために、基地局の全カバレッジエリアは、複数の３つのより小さなエリア１０４ａ、１０４ｂ及び１０４ｃに分割されてもよい。基地局サブシステムそれぞれが、当該小エリアをサーブしてもよい。３ＧＰＰにおいて、用語「セル」は、基地局及び／又はこのカバレッジエリアをサーブする基地局サブシステムの最小カバレッジエリアを指してもよい。３ＧＰＰ２において、用語「セクタ」は、基地局及び／又はこのカバレッジエリアをサーブする基地局サブシステムの最小カバレッジエリアを指してもよい。明確にするために、３ＧＰＰコンセプトにおけるセルを、以下の説明では用いる。
【００１２】
図１に示される例において、各基地局１１０は、異なる地理的領域をカバーする３つのセルを持つ。単純化のために、図１は、互いにオーバーラップしないセルを示している。現実的な配置において、典型的には、隣接するセルは、そのエッジにおいて互いにオーバーラップしており、システムの周囲を端末が移動する際のいかなる位置においても、該端末が１つ又は複数のセルから通信カバレッジを享受するのを可能にすることができる。
【００１３】
端末１２０は、システムの全体にわたって分散してもよく、各端末は固定型又は移動型であってもよい。端末は、移動局、ユーザ機器（ＵＥ）、アクセス端末、加入者ユニット、局などと称されることもある。端末は、携帯電話機、携帯情報端末（ＰＤＡ）、無線モデム、無線通信デバイス、ハンドヘルドデバイス、ラップトップコンピュータ、コードレスホンなどであってもよい。端末は、順方向及び逆方向リンクを通じて基地局と通信してもよい。順方向リンク（又はダウンリンク）は基地局から端末への通信リンクのことを指す。また、逆方向リンク（又はアップリンク）は端末から基地局への通信リンクのことを指す。
【００１４】
システム・コントローラ１３０は１組の基地局に連結され、これら基地局に対する調整及び制御を提供してもよい。システム・コントローラ１３０は単一のネットワークエンティティー又はネットワークエンティティーの集合になりえる。
【００１５】
システム１００はＯＦＤＭ及び／又はＳＣ−ＦＤＭを利用してもよい。ＯＦＤＭ及びＳＣ−ＦＤＭは、システム帯域幅を一般にトーン、ビンなどと呼ばれる複数（Ｋ本）の直交サブキャリアに区分する。隣接したサブキャリア間の間隔は固定でもよく、サブキャリアの合計数（Ｋ）は、システム帯域幅に依存してもよい。例えば、１．２５、２．５、５、１０又は２０ＭＨｚのシステム帯域幅の場合、Ｋは、それぞれ、１２８、２５６、５１２、１０２４又は２０４８に等しくなる。合計Ｋ個のサブキャリアのサブセットは伝送に使用可能とし、残りのサブキャリアはガードサブキャリアに役立ててもよい。単純化のために、以下の説明は、合計Ｋ個のサブキャリアがすべて使用可能であると仮定する。
【００１６】
本明細書で説明される技術は、ＯＦＤＭ、ＳＣ−ＦＤＭ及び場合により他の変調方式と共に用いられてもよい。一般に、変調シンボルは、ＯＦＤＭで周波数領域に送られ、ＳＣ−ＦＤＭで時間領域に送られる。明確にするために、以下の説明の多くは、システムがＯＦＤＭを利用し、情報がＯＦＤＭシンボルで送信されるものとする。しかし、以下の説明におけるＯＦＤＭシンボルへの言及は、ＳＣ−ＦＤＭシンボル又は他の何らかの送信シンボルと読み替えてもよい。
【００１７】
送信機は、１つ又は複数の受信機にビーコンシンボルを送信してもよい。ビーコンシンボルは、ビーコンサブキャリア又はアクティブなサブキャリアと呼ばれる１つ又は複数のサブキャリアの位置において情報を運ぶＯＦＤＭシンボル又はＳＣ−ＦＤＭシンボルである。例えば、情報の１ビットが２つのサブキャリアのうちの１つを選択するために用いられてもよく、情報の２ビットが４つのサブキャリア等のうちの１つを選択するために用いられてもよい。こうして、情報は、サブキャリアで送信される変調シンボルの代わりに、該サブキャリアがビーコンサブキャリアとして用いられることによって運ばれる。ビーコンシンボルは、ビーコンＯＦＤＭシンボル、ビーコンなどと呼ばれてもよい。ビーコンシンボルは、ビーコンサブキャリアのための高い送信電力を用いて送信されてもよく、これにより低レベルの受信信号品質であっても確実に検出されることができる。以下の説明では、受信信号品質を示すために信号対雑音比（ＳＮＲ）を用いる。
【００１８】
ある態様では、ビーコンシンボルは、複数のビーコンサブキャリアにマッピングされた情報を具備してもよい。ビーコンサブキャリアという位置付け（ｐｏｓｉｔｉｏｎ）で伝えられた情報はビーコン情報と呼ばれる。複数のビーコンサブキャリアを使用することには、いくつかの利点がある。まず、ビーコンシンボルにおいて単一のビーコンサブキャリアの代わりに複数のビーコンサブキャリアを用いることによって、より多くの情報を送ることができる。これは、ビーコンシンボルのディメンジョンを向上することができる。次に、１つのビーコンサブキャリアの代わりに複数のビーコンサブキャリアを用いることによって周波数ダイバーシチを向上することができる。周波数ダイバーシチの向上は、周波数を横切って周波数レスポンスが変化する周波数選択性フェージング下でのビーコン情報の受信信頼性を高めることができる。
【００１９】
図２は、複数のビーコンサブキャリアを持ったビーコンシンボルの構造を示す。
【００２０】
この構造において、システム帯域幅はＭ個のセグメントに区分され、各セグメントはＬ個のサブキャリアを含んでいてもよい。ここで、Ｌ及びＭは各々、１を越える任意の整数値であってもよい。ある構造において、システム帯域幅は複数のサブ帯域に区分され、各サブ帯域は連続的な又は不連続のサブキャリアセットを含んでいてもよい。各セグメントは１つ又は複数のサブ帯域をカバーしてもよい。別の構造において、システムは、複数のキャリアに対する動作をサポートしてもよい。また、各セグメントが異なるキャリアに対応してもよい。
【００２１】
一般に、いかなる数のセグメントを定義してもよく、各セグメントが、いかなる数のサブキャリアを含んでいてもよい。Ｍ個のセグメントが、同じ又は異なるサブキャリアを含んでいてもよい。Ｍ個のセグメントに、サブキャリアの静的なセットが割り当てられてもよく、あるいは、異なる時間間隔で異なるサブキャリアのセットが割り当てられてもよい。いずれにせよ、各セグメントにおけるサブキャリアは、送信機と受信機の両方に先天的に知られていてもよいし、ブロードキャスト情報を通じて伝えられてもよいし、何らかの他の態様で提供されてもよい。単純化のために、以下の説明では、各セグメントがＬ個のサブキャリアの静的なセットを割り当てられるものとする。
【００２２】
ビーコンシンボルは、ｎ番目のＯＦＤＭシンボル期間毎に送信されてもよい。ここで、Ｎは１以上の整数値とすることができる。ある構造において、伝送時間軸（ｔｉｍｅｌｉｎｅ）は、各フレームがＮ個のＯＦＤＭシンボル期間を含むフレーム単位で区分されてもよい。ビーコンシンボルは各フレームの１つのＯＦＤＭシンボル期間で送信されてもよい。フレームは、無線フレーム、物理層（ＰＨＹ）フレーム、スーパーフレームなどであってもよい。ビーコンシンボルは、Ｎ＝１の各ＯＦＤＭシンボル期間で送信されてもよい。
【００２３】
図２に示される例において、ビーコンシンボルはＯＦＤＭシンボル期間ｉにおいて送信される。ここで、ｉはＯＦＤＭシンボル期間のインデックスである。このビーコンシンボルは、Ｍ個のセグメントの各々に、１つのビーコンサブキャリアを含んでいる。このビーコンシンボルにおけるＭ個のビーコンサブキャリアは、ｍ＝１，．．．，Ｍに関してｋｎ，ｍというインデックスを持つ。但し、ｎはビーコンシンボルのインデックスである。また、ｍはセグメントのインデックスである。ビーコンシンボルは、残りのサブキャリアに関する追加情報を運んでもよいし、運ばなくてもよい。任意の情報を含んでいるＯＦＤＭシンボルは、ＯＦＤＭシンボル期間ｉ＋１乃至ｉ＋Ｎ−１の各々に送信されることができる。第２のビーコンシンボルは、ＯＦＤＭシンボル期間ｉ＋Ｎに送信され、Ｍ個のセグメントのそれぞれに１つのビーコンサブキャリアを含んでいる。このビーコンシンボルにおけるＭ個のビーコンサブキャリアは、ｍ＝１，．．．，Ｍに関してｋｎ＋１，ｍというインデックスを持つ。このビーコンシンボルは、残りのサブキャリアに関する追加情報を運んでもよいし、運ばなくてもよい。同様に、ビーコンシンボル及びＯＦＤＭシンボルが他のＯＦＤＭシンボル期間に送信されることができる。
【００２４】
ビーコンシンボルｎにおけるセグメントｍのビーコンサブキャリアインデックスｋｎ，ｍを非バイナリシンボルと見なしてもよい。非バイナリシンボルは、２つを超える可能値のいずれかを持つシンボルであって、マルチビットシンボルと呼ばれてもよい。例えば、Ｌ＝６４であれば、６４個の可能値のうちのいずれかを持つ６ビットシンボルは、６４個の可能サブキャリアのうちの１つをビーコンサブキャリアとして選択するために用いることができる。Ｌは２の累乗であってもよいし、そうでなくてもよい。いずれにせよ、Ｍ個の非バイナリシンボルは、１つのビーコンシンボルのＭ個のセグメントにおいてＭ個のビーコンサブキャリアを選択するために用いられてもよい。このような１つのビーコンシンボルにおけるＭ個のビーコンサブキャリアの使用は、ビーコンシンボルのディメンジョンを向上することができる。
【００２５】
ビーコン情報が、種々の態様でビーコンシンボルにおいて送信されてもよい。ある構造において、ビーコン情報を具備するメッセージは、１つのビーコンシンボルにおいてＭ個のビーコンサブキャリアを選択するために用いられ得るＭ個の非バイナリシンボルを生成するために符号化されてもよい。この構造では、ビーコンシンボルは、メッセージの迅速な受信を考慮して、１つのメッセージのための非バイナリシンボルを運んでもよい。別の構造において、Ｍ個のメッセージは、非バイナリシンボルのＭ個の系列を生成するために符号化されてもよい。非バイナリシンボルの各系列は、１つのセグメントにおいて（異なるビーコンシンボルにおける）ビーコンサブキャリアによって送信されてもよい。あるビーコンシンボルは、Ｍ個のメッセージのＭ個の系列におけるＭ個の非バイナリシンボルによって決定されたＭ個のビーコンサブキャリアを含んでいてもよい。この構造は各メッセージの時間ダイバーシティを提供することができる。一般に、ビーコンシンボルは、１つ又は複数のメッセージのための非バイナリシンボルを運んでもよい。各メッセージは、ビーコンシンボルで送信される１つ又は複数の非バイナリシンボルを有してもよい。
【００２６】
図３は、複数のビーコンサブキャリアを持ったビーコンシンボルの別の構造を示す。この構造において、ビーコンシンボルはＭ個の異なるビーコンサブキャリアを含んでおり、各ビーコンサブキャリアはシステム帯域幅内のどの場所に位置してもよい。ビーコンシンボルはｎ番目のＯＦＤＭシンボル期間毎に送信されてもよい。但し、Ｎ≧１である。図３に示される例において、ビーコンシンボルはＯＦＤＭシンボル期間ｉに送信される。このビーコンシンボルは、ｍ＝１，．．．，Ｍに関してｋｎ，ｍのインデックスを持ったＭ個のビーコンサブキャリアを含んでいる。このビーコンシンボルは、残りのサブキャリアに関する追加情報を運んでもよいし、運ばなくてもよい。任意の情報を含んでいるＯＦＤＭシンボルは、ＯＦＤＭシンボル期間ｉ＋１乃至ｉ＋Ｎ−１の各々に送信されることができる。第２のビーコンシンボルはＯＦＤＭシンボル期間ｉ＋Ｎに送信される。このビーコンシンボルは、ｍ＝１，．．．，Ｍに関してｋｎ＋１，ｍのインデックスを持ったＭ個のビーコンサブキャリアを含んでいる。このビーコンシンボルは、残りのサブキャリアに関する追加情報を運んでもよいし、運ばなくてもよい。同様に、ビーコンシンボル及びＯＦＤＭシンボルが他のＯＦＤＭシンボル期間に送信されることができる。
【００２７】
ある構造において、ビーコンシンボルにおける各ビーコンサブキャリアが、１つの非バイナリシンボルによって選択されてもよい。この構造では、Ｍ個の非バイナリシンボルを１つのビーコンシンボルで送信することができる。各非バイナリシンボルの可能値の範囲について、制限があってもよい。Ｍ個の非バイナリシンボルは、１つ又は複数のメッセージのためのものとしてもよい。別の構造において、ビーコンシンボルにおけるＭ個のビーコンサブキャリアが、単一の非バイナリシンボルによって選択されてもよい。この構造では、Ｍ個のビーコンサブキャリアの可能な組合せの各々は、非バイナリシンボルの可能値のいずれかに対応してもよい。ビーコンサブキャリアのより多くの組合せを、より多くのビーコンサブキャリアによって形成してもよい。この場合、より多くのビットを持ったより大きな非バイナリシンボルを、より多くのビーコンサブキャリアによって送信することができる。
【００２８】
図４は、送信電力対ビーコンサブキャリアのみを具備する１つのビーコンシンボルのサブキャリアのプロットを示す。「送信電力」、「エネルギー」という用語は同類であり、しばしば区別なく用いる。ＯＦＤＭシンボルの利用可能な送信電力Ｐａｖａｉｌは、Ｍ個のビーコンサブキャリアにわたって分散されることができる。図４に示される例において、利用可能な送信電力はＭ個のビーコンサブキャリアにわたって一様に分散しており、各ビーコンサブキャリアはＰｂｅａｃｏｎ＝Ｐａｖａｉｌ／Ｍの送信電力レベルで送信される。残りのサブキャリアは空とし、送信電力レベルをゼロとしてもよい。
【００２９】
図５は、送信電力対ビーコンサブキャリアならびに追加情報を具備する１つのビーコンシンボルのサブキャリアのプロットを示す。ＯＦＤＭシンボルの利用可能な送信電力Ｐａｖａｉｌは、ビーコン送信電力Ｐｂ及びデータ送信電力Ｐｄに分割されてもよい。ビーコン送信電力は、ビーコン情報に割当てられる利用可能な送信電力部分である。データ送信電力は、追加情報に割当てられる利用可能な送信電力部分である。図５に示される例において、ビーコン送信電力はＭ個のビーコンサブキャリアにわたって一様に分散しており、各ビーコンサブキャリアはＰｂｅａｃｏｎ＝Ｐｂ／Ｍの送信電力レベルで送信される。
【００３０】
データ送信電力は、追加情報を送信するために用いられるサブキャリアにわたって分散されてもよい。図５に示される例において、データ送信電力はＷ＝Ｋ−Ｍ個の残りのサブキャリアにわたって一様に分散しており、各サブキャリアはＰｄａｔａ＝Ｐｄ／Ｗの送信電力レベルで送信される。一般に、１つ又は複数の種類の情報がＷ個の残りのサブキャリアで送信されてもよく、同じ又は異なる送信電力レベルが異なる種類の情報について用いられてもよい。例えば、パイロット、制御情報及びトラフィックデータがＷ個の残りのサブキャリアによって送信されてもよい。パイロットが第１の送信電力レベルで送信され、制御情報が第２の送信電力レベルで送信され、トラフィックデータが第３の送信電力レベルで送信されてもよい。パイロットの望ましい受信信号品質を実現するために、第１の送信電力レベルが電力制御ループによって調整されてもよい。第２の送信電力レベルは、制御情報のための望ましい信頼性を実現するために調整されてもよい。第３の送信電力レベルは、残存データ送信電力に依存してもよい。
【００３１】
ビーコン情報はビーコンサブキャリアの位置によって運ばれることから、いかなる変調シンボルを各ビーコンサブキャリアで送信してもよい。しかし、１つのビーコンシンボルにおけるＭ個のビーコンサブキャリアによって同じ変調シンボル又は無作為に選択された変調シンボルを送信することが、ビーコンシンボルに関して高いピーク対平均電力比（ＰＡＰＲ）をもたらす場合がある。ＰＡＰＲは、波形の平均電力に対するピーク電力の比である。高ＰＡＰＲは、Ｍ個のビーコンサブキャリアのＭ個の正弦波の、可能な同相追加の結果として生じることがある。高ＰＡＰＲは、電力増幅器が飽和するのを回避するために送信機がより大きくバックオフ動作する原因となり、従って、性能を低下させるかも知れない。種々の態様によって高ＰＡＰＲは緩和することができる。
【００３２】
ある構造において、ビーコンシンボルのＭ個のビーコンサブキャリアのＰＡＰＲが削減されるようにＭ個の変調シンボルセットを選択してもよい。例えば、ビーコンシンボルは、ｋ１＝ｋｃ−Δｋ、ｋ２＝ｋｃ及びｋ３＝ｋｃ＋Δｋのインデックスを持った３つのビーコンサブキャリアを含んでいてもよい。ここで、ｋｃは、中心ビーコンサブキャリアのインデックスである。また、ｋはビーコンサブキャリア間の間隔である。３個のビーコンサブキャリアｋ１、ｋ２及びｋ３に関して、ｍ＝１，２，３とする場合の３つの正弦波ｅｘｐ（ｊ２π・ｔ・ｆｍ）は、ｆ１＝−１、ｆ２＝１及びｆ３＝１の位相で変調されてもよい。これらの位相は、他の位相選択の場合よりもビーコンシンボルの低いＰＡＰＲをもたらすことができる。一般に、Ｍ個の変調シンボルの適切なセットは、Ｍ個のビーコンサブキャリアの各組合せのについて選択されてもよい。
【００３３】
ビーコンシンボルは、以下のようにＯＦＤＭによって生成してもよい。Ｍ個の変調シンボルは、Ｍ個のビーコンサブキャリアにマッピングされてもよい。ゼロの信号値を持ったゼロシンボル及び／又は他の変調シンボルは、残りのサブキャリアにマッピングされてもよい。マッピングされたＫ個のシンボルが、Ｋ個の時間領域サンプルを含む有効部分を得るためにＫ点逆高速フーリエ変換（ＩＦＦＴ）によって時間領域に変換されてもよい。有効部分の最後のＣ個のサンプルが有効部分の前部にコピーされ添付されてＫ＋Ｃ個のサンプルを含んだＯＦＤＭシンボルを形成してもよい。複製部分はサイクリックプレフィックスと呼ばれる。また、Ｃはサイクリックプレフィックス長である。サイクリックプレフィックスは、周波数選択性フェージングによって引き起こされたシンボル間干渉（ＩＳＩ）を駆除するために用いられる。ＯＦＤＭシンボルがビーコンシンボルとして提供され、１つのＯＦＤＭシンボル期間に送信されてもよい。該ＯＦＤＭシンボル期間は、Ｋ＋Ｃ個のサンプル期間であってもよい。
【００３４】
別の構造において、複数のビーコンサブキャリアを持ったビーコンシンボルが、ＳＣ−ＦＤＭの１つの形態である、インタリーブド周波数分割マルチプレキシング（ＩＦＤＭ）によって生成されてもよい。この構造については、Ｍ個の変調シンボルがＭ点の離散フーリエ変換（ＤＦＴ）によって変換されてＭ個の周波数領域シンボルを得てもよい。Ｍ個の周波数領域シンボルは、Ｍ個のビーコンサブキャリアにマッピングされてもよい。また、ゼロシンボル及び／又は他の変調シンボルは、残りのサブキャリアにマッピングされてもよい。マッピングされたＫ個のシンボルは、有効部分を得るためにＫ点ＩＦＦＴによって変換されてもよい。サイクリックプレフィックスを有効部分に添付して、Ｋ＋Ｃ個のサンプルを含んだＳＣ−ＦＤＭシンボルを形成してもよい。ＳＣ−ＦＤＭシンボルがビーコンシンボルとして提供され、１つのＯＦＤＭシンボル期間に送信されてもよい。
【００３５】
複数のビーコンサブキャリアを持ったビーコンシンボルを、低ＰＡＰＲを得るための他の態様で生成してもよい。
【００３６】
一般に、ビーコン情報はどのようなタイプの情報を具備してもよく、送信機が基地局であるか端末であるかに依存してもよい。送信機が基地局ならば、ビーコン情報がセルＩＤ、セクタＩＤ、ブロードキャスト情報、システム情報、制御情報などを具備してもよい。送信機が端末ならば、ビーコン情報が制御情報などを具備してもよい。
【００３７】
ビーコン情報は、ビーコン符号を用いて送信されてもよい。ビーコン符号は、送信機でビーコン情報を符号化し、受信機でビーコン情報を復号するために用いられる符号である。送信機は、非バイナリシンボルの系列を生成するために、ビーコン符号に基づいてビーコン情報を処理してもよい。送信機は、１つ又は複数のビーコンシンボルによって非バイナリシンボルを送信してもよい。受信機は、１つ又は複数のビーコンシンボルから非バイナリシンボルを受信してもよい。受信機は、送信機によって送信されたビーコン情報を回復するために、受信した非バイナリシンボルをビーコン符号に基づいて復号してもよい。
【００３８】
ビーコン符号は、多項式符号、ｍａｘｉｍｕｍ  ｄｉｓｔａｎｃｅ  ｓｅｐａｒａｂｌｅ（ＭＤＳ）符号、（ＭＤＳ符号の一種である）リード・ソロモン符号、あるいは他の何らかのタイプの符号に基づいて定義されてもよい。明確にするために、リード・ソロモン符号に基づいた具体的なビーコン符号を以下に説明する。このビーコン符号については、非バイナリシンボルはＳ＝４７個の可能値０〜４６のうちのいずれかを持つ。図２に示される構造については、非バイナリシンボル値はそれぞれ１つのセグメントにおいて１個のサブキャリアを選択するために用いられてもよく、ＳはＬ以下としてもよい。図３に示される構造については、非バイナリシンボル値はそれぞれＭ個のビーコンサブキャリアの組合せを選択するために用いられてもよく、Ｓは、Ｍ個のビーコンサブキャリアの組合せの合計数以下としてもよい。一般に、非バイナリシンボルは１つ又は複数のビーコンサブキャリアを選択するために用いられてもよく、Ｓは、非バイナリシンボルによって選択されたすべてのビーコンサブキャリアの組合せの数に依存してもよい。
【００３９】
ビーコン符号構造の例において、ビーコン情報は１２ビットのメッセージで送信される。ビーコン符号は、少なくとも２１２＝４０９６個の非バイナリシンボルの異なる系列をサポートする必要がある。可能メッセージは、それぞれ非バイナリシンボルの異なる系列にマッピングされてもよい。
【００４０】
ビーコン情報を具備するメッセージは、非バイナリシンボルＸｔ（α１，α２，α３）の系列にマッピングされてもよく、該系列は、次のように表現されてもよい。
【数１】
2010539808.tif 000003
【００４１】
体Ｚ４７は、０〜４６までの４７個のエレメントを含んでいる。体Ｚ４７のプリミティブエレメントは、Ｚ４７の４６個の非ゼロエレメントをすべて生成するために用いられ得るＺ４７のエレメントである。一例として、０〜６までの７つのエレメントを含んでいる体Ｚ７について、５はＺ７のプリミティブエレメントであって、５０  ｍｏｄ  ７  ＝１、５１  ｍｏｄ  ７  ＝  ５、５２  ｍｏｄ  ７  ＝４、５３  ｍｏｄ  ７  ＝  ６、５４  ｍｏｄ  ７  ＝  ２及び５５  ｍｏｄ  ７  ＝  ３のように、Ｚ７の６つの非ゼロエレメントをすべて生成するのに用いることができる。
【００４２】
式（１）において、算術演算は拡大体Ｚ４７である。例えば、ＡとＢの加算は（Ａ＋Ｂ）  ｍｏｄ  ４７として与えられ、ＡとＢの乗算は（Ａ＊Ｂ）  ｍｏｄ  ４７として与えられ、ＡのＢ乗は、ＡＢ  ｍｏｄ  ４７などとして与えられてもよい。べき指数内部の加算は、モジュロ−４７整数加算である。
【００４３】
ある構造において、ｐ１＝４５、ｐ２＝ｐ１２＝４及びｐ３＝ｐ１３＝３９である。他のプリミティブエレメントがｐ１に用いられてもよい。ｐ１２及びｐ３＝ｐ１３の選択は、式（１）によりリード・ソロモン符号をもたらす。
【００４４】
べき指数ファクターα１、α２及びα３は次のように定義されてもよい。
【数２】
2010539808.tif 000004
【００４５】
α１、α２及びα３の合計２＊４６＊４６＝４２３２の異なる組合が、式（２）に示される制約によって得られてもよい。α１、α２及びα３のユニークな組合せは、それぞれ異なる可能メッセージ、故にビーコン情報のための非バイナリシンボルの異なる系列に対応する。α１、α２及びα３の４２３２個の異なる組合せは、１２ビットのメッセージをサポートすることができる。メッセージは、α１、α２及びα３の、対応する組合せに次のようにマッピングされてもよい。
【数３】
2010539808.tif 000005
【００４６】
ここで、Ｙは１２ビットのメッセージ値であって、０〜４０９５の範囲内である。メッセージと、α１、α２及びα３の組合せとの間の他のマッピングが用いられてもよい。
【００４７】
ｉ＝１、２、３についてｐｉ４６＝１であることから、式（１）に示されるビーコン符号は、４６／２＝２３のシンボルの期間で周期的である。よって、ｔの任意の値に関して、Ｘｔ＋２３（α１，α２，α３）＝Ｘｔ（α１，α２，α３）である。
【００４８】
送信機は、式（１）に示されるビーコン符号に基づいて２３個の非バイナリシンボルの系列に１２ビットのメッセージをマッピングしてもよい。送信機は、メッセージに関して、系列において３以上の連続する非バイナリシンボルを送信してもよい。非バイナリシンボルはそれぞれ、（ｉ）図２に示される構造については、１つのセグメントにおける１つのビーコンサブキャリア、（ｉｉ）図３に示される構造については、１つ又は複数のビーコンサブキャリア、を選択するために用いられてもよい。
【００４９】
受信機は、連続する３つの非バイナリシンボルで送信機により送信されたメッセージを回復することができる。受信機は、ｔ、ｔ＋１及びｔ＋２に関して、３つの非バイナリシンボルｘ１、ｘ２及びｘ３を得ることができる。受信された非バイナリシンボルは、次のように表現されてもよい。
【数４】
2010539808.tif 000006
【００５０】
式（４）は、以下のように行列形式で表現されてもよい。
【数５】
2010539808.tif 000007
【００５１】
受信機は、式（５）における項
【数６】
2010539808.tif 000008
【００５２】
を以下のように解いてもよい。
【数７】
2010539808.tif 000009
【００５３】
受信機は、以下のように
【数８】
2010539808.tif 000010
【００５４】
のべき指数を得てもよい。
【数９】
2010539808.tif 000011
【００５５】
式（７）における対数は拡大体Ｚ４７である。べき指数ファクターα１及びインデックスｔは、式（７）から以下のように得てもよい。
【数１０】
2010539808.tif 000012
【００５６】
ファクターα２は、式（８ｂ）から得られたｔを
【数１１】
2010539808.tif 000013
【００５７】
を得るために
【数１２】
2010539808.tif 000014
【００５８】
に置き換えたのち、
【数１３】
2010539808.tif 000015
【００５９】
に基づいてα２を解くことにより決定してもよい。同様に、ファクターα３は、
【数１４】
2010539808.tif 000016
【００６０】
を得るためにｔを
【数１５】
2010539808.tif 000017
【００６１】
に置き換えたのち、
【数１６】
2010539808.tif 000018
【００６２】
に基づいてα３を解くことにより決定してもよい。
【００６３】
以上、リード・ソロモン符号に基づくビーコン符号の例を説明した。他のビーコン符号が、ビーコンシンボルでビーコン情報を送信するために用いられてもよい。一般に、送信機は、非バイナリシンボルの系列を生成するために、ビーコン符号に基づいてビーコン情報を処理してもよい。送信機は、系列によって十分な数の非バイナリシンボル、すなわち各ビーコンシンボルで１つ又は複数の非バイナリシンボルを送ることができる。送信する非バイナリシンボルの数は、ビーコン符号、送信されるビーコン情報などに依存してもよい。
【００６４】
受信機は、送信機から１つ又は複数のビーコンシンボルを受信し、各ビーコンシンボルにおける各サブキャリアの受信電力を判定してもよい。受信機は、硬判定復号及び／又は軟判定復号を用いることにより、送信機が送信したビーコン情報を回復してもよい。硬判定復号については、受信機は、最初に、各ビーコンシンボルのビーコンサブキャリアを判定してもよい。各ビーコンシンボルについて、受信機は、各サブキャリアの受信電力をしきい値と比較し、受信電力が該しきい値を越える場合、ビーコンサブキャリアであるとしてもよい。しきい値は、合計受信電力、各ビーコンサブキャリアに用いられる送信電力、残りのサブキャリアそれぞれに用いられる送信電力等に基づいて決定されてもよい。受信機は、各ビーコンシンボルのＭ個のビーコンサブキャリアを検出し、該Ｍ個のビーコンサブキャリアについて１つ又は複数の非バイナリシンボルを得てもよい。その後、受信機は、ビーコン情報を回復するために非バイナリシンボルをすべて復号してもよい。
【００６５】
軟判定復号について、まず受信機は、ビーコン情報のために送信機によって送信することができる可能メッセージそれぞれの合計受信電力を判定してもよい。可能性のあるメッセージそれぞれについて、受信機は、コヒーレント又は非コヒーレントに、当該メッセージについて、すべての（１つ又は複数のビーコンシンボルにおける）ビーコンサブキャリアの受信電力を合成し、該メッセージの合計受信電力を得てもよい。受信機は、Ｑ個の可能メッセージに関して、Ｑ個の受信電力合計を得てもよい。ここで、Ｑは、１２ビットのメッセージについては４０９６に等しくてもよい。ある構造において、受信機は、最大の合計受信電力によってメッセージを識別してもよく、その合計受信電力がしきい値以上である場合、このメッセージを復号されたメッセージとして提供してもよい。受信機は、この構造によって高々１つの復号されたメッセージを得ることができる。別の構造において、受信機は、各メッセージの合計受信電力をしきい値と比較してもよく、その合計受信電力がしきい値以上である場合、このメッセージを復号されたメッセージとして提供してもよい。受信機は、この構造によって、０、１、又はそれ以上の復号されたメッセージを得ることができる。
【００６６】
受信機は、硬判定復号と軟判定復号の組合せを用いてもよい。例えば、受信機がまず硬判定復号を行ない、検出されたメッセージを得てもよい。次に受信機は、この検出されたメッセージのビーコンサブキャリアの合計受信電力をしきい値と比較してもよい。合計受信電力がしきい値を越える場合、受信機は、検出されたメッセージを復号されたメッセージとして提供してもよい。
【００６７】
図６は、無線通信システムにおいて情報を送信するための処理６００の構造を示す。処理６００は送信機によって行なわれ、それは基地局、端末、又は何らかの他のエンティティであってもよい。前記送信機は、複数のサブキャリア中の多重サブキャリアの位置により運ばれる情報（例えばセルＩＤ、セクタＩＤ及び／又は他の情報）を該多重サブキャリアにマッピングしてもよい（ブロック６１２）。ある構造において、前記多重サブキャリアの各々は、例えば、図２に示すように非オーバーラップのサブキャリアセットを具備する複数セグメントにおけるいずれかのものであってもよい。別の構造において、各サブキャリアは、例えば、図３に示すように複数のサブキャリアのうちの任意の１つであってもよい。いずれの場合であっても、前記送信機は、前記多重サブキャリアにマッピングされた前記情報を具備するビーコンシンボルを生成する（ブロック６１４）。
【００６８】
ある構造において、前記送信機は、前記情報を少なくとも１つの非バイナリシンボルにマッピングしてもよい。その後、該送信機は、前記少なくとも１つの非バイナリシンボルに基づいて前記多重サブキャリアを決定してもよい。ある構造において、前記送信機は、異なる非バイナリシンボルに基づいて前記多重サブキャリアの各々を決定してもよい。別の構造において、前記送信機は、１つの非バイナリシンボルに基づいて前記多重サブキャリアを決定してもよい。また前記送信機は、他の態様で前記多重サブキャリアを決定してもよい。
【００６９】
前記送信機は、例えば図５に示すように前記多重サブキャリアに用いられない残りのサブキャリア中の少なくとも１個のサブキャリアに追加情報をマッピングしてもよい。前記送信機は、前記少なくとも１個のサブキャリアにマッピングされた前記追加情報をさらに具備するビーコンシンボルを生成してもよい。
【００７０】
ある構造において、前記送信機は、前記多重サブキャリアにマッピングされた多重変調シンボルを具備するＯＦＤＭシンボルを生成してもよい。該送信機は、前記ビーコンシンボルとして前記ＯＦＤＭシンボルを提供してもよい。前記多重変調シンボルは、前記ビーコンシンボルのピーク対平均電力比（ＰＡＰＲ）を削減するように選択されてもよい。別の構造において、前記送信機は、前記多重サブキャリアの時間領域で送信された多重変調シンボルを具備するＳＣ−ＦＤＭシンボルを生成してもよい。該送信機は、前記ビーコンシンボルとして前記ＳＣ−ＦＤＭシンボルを提供してもよい。
【００７１】
前記送信機は、少なくとも１つのビーコンシンボルで少なくとも１つのメッセージを送信してもよい。該送信機は、非バイナリシンボルセットのそれぞれに各メッセージをマッピングしてもよい。該送信機は、前記少なくとも１つのメッセージに関して非バイナリシンボルセットの少なくとも１つからの少なくとも１つの非バイナリシンボルに基づいて各ビーコンシンボルの前記多重サブキャリアを決定してもよい。前記送信機は、各ビーコンシンボルで単一のメッセージを送信してもよい。また、前記送信機は、各ビーコンシンボルで複数のメッセージを送信してもよい。例えば、各メッセージは各ビーコンシンボルにおける１個のサブキャリアにより送信されてもよい。
【００７２】
図７は、無線通信システムにおいて情報を送信するための装置７００の構造を示す。装置７００は、複数のサブキャリア中の多重サブキャリアの位置により運ばれる情報を該多重サブキャリアにマッピングするモジュール７１２と、前記多重サブキャリアにマッピングされた前記情報を具備するビーコンシンボルを生成するモジュール７１４とを含んでいる。
【００７３】
図８は、無線通信システムにおいて情報を受信するための処理８００の構造を示す。処理８００は受信機によって行なわれ、それは端末、基地局、又は何らかの他のエンティティであってもよい。該受信機は、複数のサブキャリア中の多重サブキャリアにマッピングされた情報を具備するビーコンシンボルを受信してもよい（ブロック８１２）。該受信機は、前記複数のサブキャリア中の前記多重サブキャリアの位置に基づいて前記情報を回復してもよい（ブロック８１４）。ある構造において、前記受信機は、前記多重サブキャリアの前記位置に基づいて少なくとも１つの非バイナリシンボルを決定してもよい。該受信機は、前記情報を回復するため前記少なくとも１つの非バイナリシンボルを復号してもよい。別の構造において、前記受信機は、前記多重サブキャリアの位置に基づいて、各サブキャリアにつき１つの非バイナリシンボルすることにより複数の非バイナリシンボルを決定してもよい。そして該受信機は、前記複数の非バイナリシンボルを復号して前記情報を回復してもよい。
【００７４】
前記ビーコンシンボルは、前記多重サブキャリアに用いられない残りのサブキャリア中の少なくとも１個のサブキャリアにマッピングされた追加情報を具備してもよい。その後、前記受信機は、前記少なくとも１個のサブキャリアの少なくとも１つの受信シンボルに基づいて前記追加情報を回復してもよい。
【００７５】
送信機は、少なくとも１つのビーコンシンボルの各々における多重サブキャリアによって少なくとも１つのメッセージを送信してもよい。各メッセージはそれぞれ非バイナリシンボルセットを通じて送信されてもよい。前記受信機は、前記少なくとも１つのビーコンシンボルから得られた非バイナリシンボルに基づいて前記少なくとも１つのメッセージを回復してもよい。ある構造において、前記受信機は硬判定復号を行なってもよい。前記受信機は、各ビーコンシンボルの前記複数のサブキャリアの各々の受信電力をしきい値と比較し、比較結果に基づいて、当該ビーコンシンボルに関して前記多重サブキャリアを識別してもよい。前記受信機は、前記多重サブキャリアの前記位置に基づいて、各バイナリシンボルに関して少なくとも１つの非バイナリシンボルを決定してもよい。その後、前記受信機は、前記少なくとも１つのメッセージを回復するために非バイナリシンボルのすべてを復号してもよい。別の構造において、前記受信機は軟判定復号を行なってもよい。受信機は、可能メッセージに用いられたすべてのサブキャリアの受信電力を合成することにより、当該メッセージの各々の合計受信電力を判定してもよい。その後、該受信機は、可能メッセージのすべての受信電力の合計に基づいて、前記少なくとも１つのメッセージを回復してもよい。
【００７６】
図９は、無線通信システムにおいて情報を受信するための装置９００の構造を示す。装置９００は、複数のサブキャリア中の多重サブキャリアにマッピングされた情報を具備するビーコンシンボルを受信するモジュール９１２と、前記複数のサブキャリア中の前記多重サブキャリアの位置に基づいて前記情報を回復するモジュール９１４とを含む。
【００７７】
図７及び図９におけるモジュールは、プロセッサ、電子機器デバイス、ハードウェアデバイス、電子機器コンポーネント、論理回路、メモリなど、あるいは任意のそれらの組み合わせを含んでもよい。
【００７８】
図１０は、基地局１１０及び端末１２０の一の構造のブロック図を示しており、それらは図１における基地局のいずれか、及び端末のいずれかである。この構造において、基地局１１０はＴ本のアンテナ１０３４ａ乃至１０３４ｔを備え、端末１２０はＲ本のアンテナ１０５２ａ乃至１０５２ｒを備え、一般にＴ≧１及びＲ≧１である。
【００７９】
基地局１１０では、送信プロセッサ１０２０がデータソース１０１２から１つ又は複数の端末へのデータを受信し、１つ又は複数の変調及び符号化スキームに基いて各端末へのトラフィックデータを処理し、全端末にデータ変調シンボルを提供してもよい。また送信プロセッサ１０２０はビーコン情報及び他の情報を処理し、制御変調シンボルを提供してもよい。送信（ＴＸ）ｍｕｌｔｉｐｌｅ−ｉｎｐｕｔ  ｍｕｌｔｉｐｌｅ−ｏｕｔｐｕｔ（ＭＩＭＯ）プロセッサ１０３０は、データ変調シンボル、制御変調シンボル、パイロットシンボル及び場合により他のシンボルを多重化してもよい。ＴＸ  ＭＩＭＯプロセッサ１０３０は、妥当な場合、多重シンボルに空間処理（例えばプリコーディング）を行ない、Ｔ個の出力シンボルストリームをＴ個の変調器（ＭＯＤ）１０３２ａ乃至１０３２ｔに提供してもよい。各変調器１０３２は、（例えばＯＦＤＭ、ＳＣ−ＦＤＭ等の）出力シンボルストリームそれぞれを処理して出力サンプルストリームを得てもよい。各変調器１０３２は、その出力サンプルストリームをさらに処理し（例えばアナログに変換し、増幅し、フィルタ処理し、アップコンバートし）、順方向リンク信号を得てもよい。変調器１０３２ａ乃至１０３２ｔからのＴ個の順向リンク信号は、それぞれ、Ｔ本のアンテナ１０３４ａ乃至１０３４ｔを通じて送信されてもよい。
【００８０】
端末１２０では、アンテナ１０５２ａ乃至１０５２ｒは、基地局１１０からの順方向リンク信号を受信し、復調器（ＤＥＭＯＤ）１０５４ａ乃至１０５４ｒそれぞれに受信信号を提供してもよい。各復調器１０５４は、受信サンプルを得るために、それぞれの受信信号を整えてもよい（例えば、フィルターし、増幅し、ダウンコンバートし、ディジタル化する）。各復調器１０５４は、受信シンボルを得るために（例えばＯＦＤＭ、ＳＣ−ＦＤＭなどの）受信サンプルをさらに処理してもよい。ＭＩＭＯ検出器１０５６は、全Ｒ個の復調器１０５４ａ乃至１０５４ｒから受信シンボルを得て、妥当な場合、受信シンボルにＭＩＭＯ検波を行ない、検出されたシンボルを提供してもよい。受信プロセッサ１０６０は、検出されたシンボルを処理（例えば復調、デインタリーブ、復号）し、復号された端末１２０へのデータをデータシンク１０６２に提供し、復号されたビーコン情報及び他の情報をコントローラ／プロセッサ１０８０に提供してもよい。
【００８１】
逆方向リンクについて、端末１２０では、データソース１０７２からのトラフィックデータ及びコントローラ／プロセッサ１０８０からの制御情報が送信プロセッサ１０７４によって処理され、ＴＸ  ＭＩＭＯプロセッサ１０７６によってプリコーディングされ、妥当な場合、（例えばＯＦＤＭ、ＳＣ−ＦＤＭ等のための）変調器１０５４ａ乃至１０５４ｒによって処理され、基地局１１０に送信されてもよい。基地局１１０では、端末１２０からの逆方向リンク信号がアンテナ１０３４によって受信され、復調器１０３２によって復調され、妥当な場合、ＭＩＭＯ検出器１０３６によって処理され、受信プロセッサ１０３８によってさらに処理され、端末１２０によって送信されたトラフィックデータ及び制御情報を得てもよい。
【００８２】
コントローラ／プロセッサ１０４０及び１０８０は、それぞれ基地局１１２０及び端末１２０における動作を指示してもよい。コントローラ／プロセッサ１０４０及び／又は１０８０の各々は、図６における処理６００、図８における処理８００、及び／又は本明細書で説明された技術に関する他の処理を実行し、又は指示してもよい。メモリ１０４２及び１０９２は、それぞれ端末１２０及び基地局１１０用のデータ及びプログラムコードを記憶してもよい。スケジューラ１０４４は、順方向及び逆方向リンク上の伝送に関して端末をスケジューリングし、スケジューリングされた端末にリソースの割当てを提供してもよい。
【００８３】
情報及び信号は、様々な異なる技術及び技法のうちのいずれかを使用して表され得ることを当業者は理解するであろう。例えば、以上の説明の至るところで参照され得るデータ、命令、コマンド、情報、信号、ビット、記号、及びチップは、電圧、電流、電磁波、磁界もしくは磁粒子、光場もしくは光粒子、又はそれらの任意の組合せによって表され得る。
【００８４】
本明細書で開示される実施形態に関して説明される様々な例示的な論理ブロック、モジュール、回路、及びアルゴリズムステップは、電子ハードウェア、コンピュータソフトウェア又はそれら両方の組合せとして実装され得ることを当業者は認識するであろう。ハードウェア及びソフトウェアのこの交換可能性を明瞭に例示するために、様々な例示的な成分、ブロック、モジュール、回路、及びステップが、一般に、それらの機能性に関して説明されている。かかる機能性がハードウェアとして実装されるか又はソフトウェアとして実装されるかは、特定の応用及びシステム全体に課せられた設計制約に依存する。当業者は、説明された機能性をそれぞれの特定の応用向けの様々な方法で実装することが可能であるが、かかる実装決定は、本発明の範囲からの逸脱を引き起こすと解釈されるべきではない。
【００８５】
本明細書に開示された実施形態に関して説明された様々な例示的な論理ブロック、モジュール、及び回路は、汎用プロセッサ、デジタル信号プロセッサ（ＤＳＰ）、特定用途向け集積回路（ＡＳＩＣ）、フィールドプログラム可能なゲートアレイ信号（ＦＰＧＡ）又はその他のプログラム可能な論理素子、離散ゲートもしくはトランジスタ論理、離散的ハードウェア成分、あるいは本明細書で説明される機能を実行するように設計されたそれらの任意の組合せを用いて実装又は実行され得る。汎用プロセッサはマイクロプロセッサであってよいが、代替案では、プロセッサは任意の通常のプロセッサ、コントローラ、マイクロコントローラ、又は状態機械であってもよい。プロセッサは、コンピュータ装置の組み合わせ、例えば、ＤＳＰとマイクロプロセッサとの組み合わせ、複数のマイクロプロセッサ、ＤＳＰコアと連結した１以上のマイクロプロセッサ、又は任意の他のそのような構成として実施されてもよい。
【００８６】
本明細書で開示される実施形態に関して説明される方法又はアルゴリズムのステップは、ハードウェアの形で直接的に、プロセッサによって実行されるソフトウェアモジュールの形で、又はそれら２つの組合せの形で実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、又は当技術分野において知られている任意のその他の形式の記憶媒体の中に存在し得る。例示的な記憶媒体は、プロセッサが記憶媒体から情報を読み取り、記憶媒体に情報を書き込むことが可能であるようにプロセッサに結合される。これ代えて、記憶媒体は、プロセッサに統合されていてもよい。プロセッサ及び記憶媒体はＡＳＩＣ内に存在してもよい。ＡＳＩＣはユーザ端末内に存在してもよい。これに代えて、プロセッサ及び記憶媒体は、ユーザ端末内に個別部品として存在してもよい。
【００８７】
１つ又は複数の例示的設計において、説明された機能は、ハードウェア、ソフトウェア、ファームウェアあるいはそれらの任意の組み合わせで実装してもよい。ソフトウェアの形で実施される場合、機能は、１つ又は複数の命令又はコードとしてコンピュータ可読媒体上に記憶されること又は１つもしくは複数の命令又はコードとしてコンピュータ可読媒体上で送信されることが可能である。コンピュータ可読媒体は、コンピュータ記憶媒体及びある場所から別の場所へのコンピュータプログラムの転送を容易にするあらゆる媒体を含む通信媒体の両方を含む。記憶媒体は、汎用又は専用のコンピュータによってアクセスされ得る任意の利用可能な媒体であり得る。限定としてではなく、例として、かかるコンピュータ可読媒体はＲＡＭ、ＲＯＭ、ＥＥＰＲＯＭ、ＣＤ−ＲＯＭもしくはその他の光ディスク記憶装置、磁気ディスク記憶装置もしくはその他の磁気記憶装置、又は所望されるプログラムコードを命令又はデータ構造の形式で運ぶため又は記憶するために使用されることが可能であり、かつコンピュータによってアクセスされることが可能な任意のその他の媒体を備え得る。また、任意の接続は正しくはコンピュータ可読媒体と呼ばれる。例えば、ソフトウェアが同軸ケーブル、光ファイバケーブル、より対線、デジタル加入者線（ＤＳＬ）、又は赤外線、無線、及びマイクロ波などの無線技術を使用して、ウェブサイト、サーバ、又はその他の遠隔ソースから送信される場合、同軸ケーブル、光ファイバケーブル、より対線、ＤＳＬ、又は赤外線、無線、及びマイクロ波などの無線技術は媒体の定義に含まれる。本明細書で使用される場合、ディスク及びディスク（Ｄｉｓｋ  ａｎｄ  ｄｉｓｃ）は、コンパクトディスク（ＣＤ）、レーザディスク、光ディスク、デジタル多目的ディスク（ＤＶＤ）、フロッピー（登録商標）ディスク及びブルーレイディスクを含み、ｄｉｓｋは通常磁気によってデータを複製し、一方、ｄｉｓｃはレーザを用いて光学的にデータを複製する。上記の組合せもコンピュータ可読媒体の範囲内に含まれるべきである。
【００８８】
本開示のこれまでの詳細な説明は、あらゆる当業者に対し、本開示をもたらし、本開示を用いて実施可能にするために提供される。本開示への種々の変更は、当業者であれば即座に明白になる。また、ここで定義された一般的な原理は、本開示の精神又は範囲から逸脱することなく、他の変形に適用されてもよい。したがって、本開示は、本明細書で説明された例及び構造に限定されることは意図されておらず、ここで開示された原理及び新規な特徴に相応しい最も広い範囲を与えられることが意図されている。
【図１】
2010539808.tif 000019
【図２】
2010539808.tif 000020
【図３】
2010539808.tif 000021
【図４】
2010539808.tif 000022
【図５】
2010539808.tif 000023
【図６】
2010539808.tif 000024
【図７】
2010539808.tif 000025
【図８】
2010539808.tif 000026
【図９】
2010539808.tif 000027
【図１０】
2010539808.tif 000028
【国際調査報告】
2010539808.tif 000029
2010539808.tif 000030
2010539808.tif 000031